(57)【要約】【課題】    意匠性や取付施工性を良好にできるとともに、通気時の開閉操作が容易にできる建具を提供すること。【解決手段】嵌め殺しの複層ガラス１５およびロールスクリーン１６が窓枠１０の非開放部１０Ａにおける見込み内に設けられ、格子扉１７および換気扉１８が窓枠１０の開放部１０Ｂにおける見込み内に設けられているので、この多機能窓１を建物の開口部３に取り付けるだけで、別途カーテンボックス等を取り付ける必要がなく、取り付けの際の施工性を良好にすることができる。さらに、格子扉１７の室内側側面に設けたネット１９も室内外に露出することがないので、多機能窓１の意匠性を良好にすることができる。また、換気扉１８を開放するだけで、格子扉１７およびネット１９を介して室内外が連通されて通気や換気を実施することができ、通気の際の開閉操作を容易に実施することができる。【選択図】  図８
2006328915.tif 000002
【特許請求の範囲】
【請求項１】
上枠、下枠、および左右の縦枠で囲まれた内部が非開放部とこの非開放部の左右少なくとも一方に隣接した開放部とに仕切られた窓枠を備え、
前記窓枠の非開放部には、透光性を有した嵌め殺し面材と、この嵌め殺し面材よりも室内側にて透光から遮光まで調節可能に構成された調光部材とが、当該窓枠の見込み内に並設され、
前記窓枠の開放部には、室内外方向に通気可能な通気面材と、この通気面材よりも室内側の防虫網と、この防虫網よりも室内側にて室内側に向かって開放可能に支持された可動面材とが、当該窓枠の見込み内に並設されている窓。
【請求項２】
前記通気面材が室外側に向かって開放可能に前記窓枠に支持された格子体である請求項１に記載の窓。
【請求項３】
前記防虫網が前記格子体の室内側側面に取り付けられている請求項２に記載の窓。
【請求項４】
前記可動面材が遮光性材料から形成されている請求項１から請求項３のいずれかに記載の窓。
【請求項５】
前記調光部材が前記嵌め殺し面材の室内面に沿って上下移動自在に前記上枠に取り付けられたロールスクリーンである請求項１から請求項４のいずれかに記載の窓。
【請求項６】
前記上下左右の各枠材の見込み方向略中間位置には、各枠材の見付け方向内方に突出し、かつ各枠材の長手方向に沿って延びる突出片が四周連続して形成され、
前記嵌め殺し面材および前記通気面材が前記突出片よりも室外側に設けられ、前記調光部材および前記可動面材が前記突出片よりも室内側に設けられている請求項１から請求項５のいずれかに記載の窓。
【発明の詳細な説明】
【技術分野】
【０００１】
本発明は、窓に関する。
【背景技術】
【０００２】
建物の外壁開口部に設けられる窓として、窓枠内部に固定されたガラス板と、ガラス板に隣接して窓枠内に支持されたガラリと、これらのガラス板およびガラリの室内側に沿って左右にスライド開閉自在に設けられた引戸と、引戸よりも室内側において左右にスライド開閉自在に設けられた網戸とを備えた窓が知られている（例えば、特許文献１参照）。
特許文献１に記載された窓は、引戸をガラス板に重なる側にスライドさせることで、ガラリを通して通気可能に構成されるとともに、引戸がガラリに重なった状態で施錠可能に構成されている。また、ガラリが開閉可能に構成されており、ガラリを閉じることで、このガラリ部分を通して室内へ入射する外光を遮ることができるようになっている。
【０００３】
【特許文献１】実開昭５５−１４９０８３号公報
【発明の開示】
【発明が解決しようとする課題】
【０００４】
しかしながら、前記特許文献１に記載の窓では、ガラス板およびガラリの室内側に引戸と網戸とが重なるようになっているため、窓の見込み寸法が大きくなってしまい、外壁との納まりが悪い上に、網戸が室内側に露出して設けられているため、意匠性が劣ってしまうという問題がある。
また、引戸を開閉する際には、網戸も同時に開閉操作しなければならず、通気時の操作性が悪いという問題もある。
さらに、ガラリを閉じることによりガラリ部分の遮光が可能であるものの、ガラス板部分の遮光が不能になっており、この窓の室内側にカーテンやブラインド等の遮光手段を別途設ける必要があり、カーテンボックス等が室内側に突出してしまい、この点でも窓の意匠性が劣化してしまうとともに、取付施工性も悪化してしまう。この際、引戸および網戸がガラス板に重なるようにスライド移動される構成のため、遮光手段を窓枠の見込み内に収めることは不可能である。
【０００５】
本発明の目的は、意匠性や取付施工性を良好にできるとともに、通気時の開閉操作が容易にできる窓を提供することにある。
【課題を解決するための手段】
【０００６】
本発明の窓は、上枠、下枠、および左右の縦枠で囲まれた内部が非開放部とこの非開放部の左右少なくとも一方に隣接した開放部とに仕切られた窓枠を備え、前記窓枠の非開放部には、透光性を有した嵌め殺し面材と、この嵌め殺し面材よりも室内側にて透光から遮光まで調節可能に構成された調光部材とが、当該窓枠の見込み内に並設され、前記窓枠の開放部には、室内外方向に通気可能な通気面材と、この通気面材よりも室内側の防虫網と、この防虫網よりも室内側にて室内側に向かって開放可能に支持された可動面材とが、当該窓枠の見込み内に並設されていることを特徴とする。
【０００７】
以上の本発明によれば、嵌め殺し面材、調光部材、通気面材、防虫網および可動面材を窓枠の見込み内に設けたことで、この窓を建物の開口部に取り付けるだけで、別途取り付ける部材を不要にでき、取り付けの際の施工性を良好にすることができる。さらに、室内側や室外側に別途取り付ける部材が突出することがなく、また通気面材の室内側かつ可動面材の室外側に設けた防虫網も室内外に露出することがないので、窓の意匠性を良好にすることができる。
また、可動面材を室内側に開放可能に構成したことで、この可動面材を開放するだけで、通気面材および防虫網を介して室内外が連通されて通気や換気を実施することができ、通気の際の開閉操作を容易に実施することができる。
さらに、可動面材を室内側に開放可能、つまり可動面材が嵌め殺し面材に重なることなく開放できるので、嵌め殺し面材の室内側に設けた調光部材と可動面材とが略同一の見込み位置、つまり互いに隣接した窓枠見込み内の位置に配置でき、窓枠の見込み寸法を小さくすることができる。これにより、窓の意匠性をさらに良好にすることができる。
【０００８】
この際、本発明の窓では、前記通気面材が室外側に向かって開放可能に前記窓枠に支持された格子体であることが好ましい。
このような構成によれば、通気面材を格子体としたことで、可動面材を開放した通気時において、形成された開口を格子体で塞ぐことができ、防犯性を確保したまま通気や換気を実施することができる。
さらに、通気面材を室外側に向かって開放可能に構成したことで、可動面材および通気面材の両方を開放すれば、この開口を介して室内側から嵌め殺し面材の室外面を清掃することができる。これに対して、従来の窓のように引戸の室外側にガラリが設けられていると、嵌め殺し面材（ガラス板）の室外面を室内側から清掃することが不可能であり、清掃作業に多大な手間を要することとなる。
【０００９】
さらに、本発明の窓では、前記防虫網が前記格子体の室内側側面に取り付けられていることが好ましい。
このような構成によれば、防虫網を格子体に取り付けたことで、格子体と防虫網とを一体に開閉することができる。そして、防虫網の構造として、従来の網戸のように単体で開閉可能なものではなく、格子体に取り付けたことで、網戸に比較して防虫網の寸法を薄くすることができ、窓の見込み寸法を小さくして意匠性を向上させることができる。
【００１０】
この際、本発明の窓では、前記可動面材が遮光性材料から形成されていることが好ましい。
このような構成によれば、可動面材を遮光性材料から形成したことで、調光部材による遮光を合わせて実施すれば、窓全体における遮光が実現でき、外光の入射が遮断できるとともに、室外から室内空間が見られることがなく、居住性やプライバシーを確保することができる。一方、調光部材を透光状態に調節すれば、嵌め殺し面材を通して外光を室内空間に採り入れたり、室内から外部の景色を眺めたりすることができ、快適性を確保することができる。
【００１１】
さらに、本発明の窓では、前記調光部材が前記嵌め殺し面材の室内面に沿って上下移動自在に前記上枠に取り付けられたロールスクリーンであることが好ましい。
このような構成によれば、ロールスクリーンを巻き上げることで、固定面材の室内面に光や視線を遮る物がなくなるので、一層快適な採光や眺望を得ることができ、室内の居住性を向上させることができる。
【００１２】
また、本発明の窓では、前記上下左右の各枠材の見込み方向略中間位置には、各枠材の見付け方向内方に突出し、かつ各枠材の長手方向に沿って延びる突出片が四周連続して形成され、前記嵌め殺し面材および前記通気面材が前記突出片よりも室外側に設けられ、前記調光部材および前記可動面材が前記突出片よりも室内側に設けられていることが好ましい。
このような構成によれば、上下左右の各枠材に形成した突出片で窓枠の内周面を室内外に仕切ったことで、窓枠と嵌め殺し面材や可動面材との気密ライン（タイトライン）を突出片に沿った位置に四周連続して形成することができ、窓の気密性や水密性を向上させることができる。
さらに、突出片で仕切られた窓枠の室外側に嵌め殺し面材および通気面材を配置し、室内側に調光部材および可動面材を配置することで、嵌め殺し面材、通気面材、調光部材および可動面材の窓枠に対する収まりが良好になり、各部材の取り付け性を良好にして窓の組立性を向上させることができる。
【発明を実施するための最良の形態】
【００１３】
以下、本発明の実施形態を図面に基づいて説明する。
図１は、本発明の実施形態に係る窓である多機能窓１を室外側から見た姿図である。図２は、多機能窓１を室内側から見た姿図である。図３および図４は、それぞれ多機能窓１の縦断面図であり、図３は、図１、２に矢視III−III線で示す断面図であり、図４は、図１、２に矢視IV−IV線で示す断面図である。図５は、多機能窓１の横断面図であり、図１、２に矢視Ｖ−Ｖ線で示す断面図である。図６および図７は、それぞれ多機能窓１の要部を拡大して示す縦断面図である。図８は、多機能窓１の要部を拡大して示す横断面図である。
【００１４】
図１〜図８において、多機能窓１は、事務所ビルや集合住宅、戸建て住宅等の建物の外壁２における開口部３に設けられて建物の室内空間と室外空間とを仕切る腰窓である。この多機能窓１の室内側には、開口部３の内側に沿った四周に額縁材４が設けられている。
多機能窓１は、それぞれアルミ形材製の上枠１１、下枠１２、および左右の縦枠１３を四周枠組みした窓枠１０と、この窓枠１０の内部を左右３つに仕切るアルミ形材製の２本の中骨１４と、窓枠１０および中骨１４で仕切られた各部に設けられた嵌め殺し面材としての複層ガラス１５、調光部材であるロールスクリーン１６、通気面材である格子扉（格子体）１７、および可動面材である換気扉１８とを備えて構成されている。そして、格子扉１７の室内側側面には、防虫網であるネット１９（図７、８参照）が取り付けられている。
【００１５】
窓枠１０は、上枠１１と下枠１２とに架設された２本の中骨１４によりその内部が、中央の非開放部１０Ａと、この非開放部１０Ａの左右両側に隣接した２箇所の開放部１０Ｂと、の３つの領域に仕切られている。そして、非開放部１０Ａにおいて、複層ガラス１５は、窓枠１０見込み内の室外寄りに嵌め殺し形式で移動不能に支持され、この複層ガラス１５よりも室内側の上枠１１にロールスクリーン１６が支持されている。一方、２箇所の開放部１０Ｂにおいて、格子扉１７は、窓枠１０見込み内の室外寄りに外開き形式で開閉自在に支持され、換気扉１８は、格子扉１７よりも室内側の窓枠１０見込み内に室内側への縦辷出し形式で開閉自在に支持されている。
【００１６】
具体的には、図６、図７に示すように、窓枠１０の上枠１１は、室内外の端部から下方（見付け方向内方）に突出した室内外の突出片１１Ａ，１１Ｂと、見込み方向略中間位置から下方に突出した中間部突出片１１Ｃとを有し、下方に開口した断面略Ｅ字形に形成されている。そして、室外突出片１１Ｂと中間部突出片１１Ｃとの間に複層ガラス１５の上端縁を保持する面材保持部１１Ｄが形成され、室内突出片１１Ａと中間部突出片１１Ｃとの間にロールスクリーン１６を支持する調光部材支持部１１Ｅが形成されている。
下枠１２は、略水平に形成された上面部１２Ａと、この上面部１２Ａの室外側端部から上方（見付け方向内方）に突出した室外突出片１２Ｂと、上面部１２Ａの見込み方向略中間位置から上方に突出した中間部突出片１２Ｃとを有して形成されている。そして、室外突出片１２Ｂと中間部突出片１２Ｃとの間に複層ガラス１５の下端縁を保持する面材保持部１２Ｄが形成されている。
【００１７】
さらに、図８に示すように、中骨１４は、全体略中空状、かつ室外側端部から非開放部１０Ａ側に突出した室外突出片１４Ａと、見込み方向略中間位置から開放部１０Ｂ側に突出した中間部突出片１４Ｂとを有して形成されている。そして、中骨１４の非開放部１０Ａ側における見込み方向略中間位置には、非開放部１０Ａ側に突出した突出片である押縁１４Ｃが係合されており、室外突出片１４Ａと押縁１４Ｃとの間に複層ガラス１５の側端縁を保持する面材保持部１４Ｄが形成されている。また、中骨１４における押縁１４Ｃよりも室内側の側面には、ロールスクリーン１６を上下に案内する案内溝１４Ｅが形成されている。
縦枠１３は、その室外側端部から開放部１０Ｂ側（見付け方向内方）に突出した室外突出片１３Ａと、見込み方向略中間位置から開放部１０Ｂ側に突出した中間部突出片１３Ｂとを有して形成されている。そして、室外突出片１３Ａと中間部突出片１３Ｂとの間に格子扉１７を開閉自在に支持するヒンジ１３Ｃが固定されている。
【００１８】
以上のような上枠１１の中間部突出片１１Ｃと、下枠１２の中間部突出片１２Ｃと、縦枠１３の中間部突出片１３Ｂと、中骨１４の中間部突出片１４Ｂおよび押縁１４Ｃとは、窓枠１０の見込み方向略同一位置に形成されている。つまり、上枠１１の中間部突出片１１Ｃ、下枠１２の中間部突出片１２Ｃ、および中骨１４の押縁１４Ｃは、窓枠１０の非開放部１０Ａの四周を囲んで連続して形成され、上枠１１の中間部突出片１１Ｃ、下枠１２の中間部突出片１２Ｃ、縦枠１３の中間部突出片１３Ｂ、および中骨１４の中間部突出片１４Ｂは、窓枠１０の開放部１０Ｂの四周を囲んで連続して形成されている。従って、これらの中間部突出片１１Ｃ，１２Ｃ，１３Ｂ，１４Ｂおよび押縁１４Ｃによって、窓枠１０の内周面が見込み方向室内外に２つに仕切られていることになる。
【００１９】
複層ガラス１５は、室内外一対のガラス板と中空層を有して形成され、室外からの外光を室内側に採り入れ可能かつ室内から室外の景観を眺めることができる透光性（光透過性）を有したものである。この複層ガラス１５は、その四周端縁が上枠１１、下枠１２および中骨１４の面材保持部１１Ｄ，１２Ｄ，１４Ｄにシール材を介して保持されて窓枠１０に固定されている。そして、複層ガラス１５は、押縁１４Ｃを中骨１４から取り外した状態で、上枠１１および下枠１２の面材保持部１１Ｄ，１２Ｄにけんどん式で挿入し、下枠１２の上面部１２Ａのセッティングブロック上に載置した後に、押縁１４Ｃを中骨１４に取り付けることで、窓枠１０に固定されるようになっている。
【００２０】
ロールスクリーン１６は、遮光布等の遮光性材料から形成され、上枠１１の調光部材支持部１１Ｅに支持されるとともに、複層ガラス１５の室内面に沿って上下移動自在かつ任意の高さ位置で停止可能に構成されている。そして、ロールスクリーン１６の下端部を下枠１２上面位置（遮光位置）まで下げることで、複層ガラス１５を通して入射した外光を遮断することができるようになっている。また、ロールスクリーン１６の下端部が上枠１１の中間部突出片１１Ｃに重なる位置（透光位置）まで巻き上げることで、複層ガラス１５の全面から外光を採り入れることができるようになっている。
【００２１】
格子扉１７は、それぞれアルミ形材製の四周の枠１７Ａと、この枠１７Ａに固定された複数の横材１７Ｂとを有して形成され、横材１７Ｂ同士の隙間を通して室内外方向に通気可能に構成されている。そして、格子扉１７は、ヒンジ１３Ｃを介して縦枠１３に支持され、中骨１４側の側端縁が室外側に向かって開放可能に構成されている。また、格子扉１７における中骨１４側の側端縁は、図示しない施錠部材を介して中骨１４に開放不能に施錠されるようになっており、この施錠部材は、換気扉１８を開いた状態で室内側から解錠操作可能、かつ室外側からは操作不能に構成されている。また、格子扉１７の室内側側面は、ネット１９で覆われており、このネット１９によって室外側からの虫や埃等の侵入が防止できるようになっている。
【００２２】
換気扉１８は、木粉を樹脂で固化した再生木製で非透光性（光遮断性）を有した扉本体１８Ａと、この扉本体１８Ａの四周に設けられたアルミ形材製の枠１８Ｂと、扉本体１８Ａの室内面に設けられた操作ハンドル１８Ｃとを有して構成されている。この換気扉１８は、上枠１１および下枠１２に設けられて複数のリンクからなる縦辷出し機構１８Ｄを介して窓枠１０に支持され、室内側に向かって開放可能に構成されている。そして、換気扉１８の四周の枠１８Ｂには、気密材が取り付けられており、これらの気密材のうちの室外側に設けられた気密材は、換気扉１８を閉鎖した状態で上枠１１、下枠１２、縦枠１３および中骨１４の中間部突出片１１Ｃ，１２Ｃ，１３Ｂ，１４Ｂに当接するようになっている。また、中骨１４には、図示しないラッチ部材が設けられており、このラッチ部材は、換気扉１８を閉鎖した状態で枠１８Ｂに係合し、操作ハンドル１８Ｃの操作により係合が外れるように構成されている。
【００２３】
このような本実施形態によれば、以下のような効果がある。
（１）すなわち、嵌め殺しの複層ガラス１５およびロールスクリーン１６が窓枠１０の非開放部１０Ａにおける見込み内に設けられ、格子扉１７および換気扉１８が窓枠１０の開放部１０Ｂにおける見込み内に設けられているので、この多機能窓１を建物の開口部３に取り付けるだけで、別途カーテンレールやカーテンボックス、面格子等を取り付ける必要がなく、取り付けの際の施工性を良好にすることができる。さらに、室内側や室外側に別途取り付ける部材が突出することがなく、格子扉１７の室内側側面に設けたネット１９も室内外に露出することがないので、多機能窓１の意匠性を良好にすることができる。
【００２４】
（２）さらに、換気扉１８が室内側に開放可能に構成されているので、この換気扉１８を開放するだけで、格子扉１７の隙間およびネット１９を介して室内外が連通されて通気や換気を実施することができ、通気の際の開閉操作を容易に実施することができる。
【００２５】
（３）そして、換気扉１８が複層ガラス１５の見込み方向に重なることなく開放できるので、複層ガラス１５の室内側に設けたロールスクリーン１６と換気扉１８とが略同一の見込み位置、つまり互いに隣接した窓枠１０の見込み内の位置に配置でき、窓枠１０の見込み寸法を小さくすることができる。これにより、多機能窓１の意匠性をさらに良好にすることができる。
【００２６】
（４）また、換気扉１８の室外側に格子扉１７が設けられているので、換気扉１８を開放した通気時において、形成された開口を格子扉１７で覆うことができ、防犯性を確保したまま通気や換気を実施することができる。さらに、格子扉１７が室外側に向かって開放可能に構成されているので、換気扉１８および格子扉１７の両方を開放すれば、この開口を介して室内側から複層ガラス１５の室外面を容易に清掃することができる。
【００２７】
（５）また、格子扉１７の室内側側面にネット１９が取り付けられているので、格子扉１７と一体にネット１９を開閉することができるとともに、従来の網戸のように単体で開閉可能なものと比較して、ネット１９の枠を省略して見込み寸法を薄くすることができ、多機能窓１の見込み寸法を小さくして意匠性をさらに向上させることができる。
【００２８】
（６）また、換気扉１８が再生木からなる遮光性材料から形成されているので、ロールスクリーン１６を下げれば、多機能窓１全体における遮光が実現でき、外光の入射が遮断できるとともに、室外から室内空間が見られることがなく、居住性やプライバシーを確保することができる。一方、ロールスクリーン１６を上げれば、複層ガラス１５を通して外光を室内空間に採り入れたり、室内から外部の景色を眺めたりすることができ、快適性を確保することができる。
【００２９】
（７）また、窓枠１０の上下左右の各枠材１１，１２，１３および中骨１４に形成した中間部突出片１１Ｃ，１２Ｃ，１３Ｂ，１４Ｂ、および中骨１４の押縁１４Ｃで窓枠１０の内周面を室内外に仕切ったことで、窓枠１０と複層ガラス１５や換気扉１８との気密ライン（タイトライン）を中間部突出片１１Ｃ，１２Ｃ，１３Ｂ，１４Ｂおよび押縁１４Ｃに沿った位置に四周連続して形成することができ、多機能窓１の気密性や水密性を向上させることができる。
【００３０】
なお、本発明は、前記実施形態に限定されるものではなく、本発明の目的を達成できる他の構成等を含み、以下に示すような変形等も本発明に含まれる。
例えば、前記実施形態において、窓枠１０の内部が左右３つに分割されて非開放部１０Ａと、その両側に隣接した２箇所の開放部１０Ｂとが形成されていたが、これに限らず、窓枠１０の内部が左右２つに分割され、ぞれぞれ１つずつの非開放部１０Ａと開放部１０Ｂとが形成されていてもよい。
また、格子扉１７や換気扉１８の開閉形式は、前記実施形態に限定されるものではなく、例えば、両方ともに開き形式で開閉されてもよく、また縦（横）辷出し形式で開閉されてもよい。さらに、格子扉１７や換気扉１８が突出し形式や内倒し形式等の適宜な開閉形式で開閉されてもよい。
【００３１】
また、前記実施形態では、格子体である格子扉１７を室外側に開放可能に構成したが、これに限らず、格子体を窓枠１０に対して開閉不能に固定してもよい。
また、前記実施形態では、可動面材である換気扉１８を再生木から非透光性に形成したが、これに限らず、可動面材が透光性を有していてもよい。
また、前記実施形態では、調光部材としてロールスクリーン１６を採用したが、これに限らず、開閉ブラインドやカーテン等も採用可能である。
また、前記実施形態では、格子扉１７の室内側側面に防虫網であるネット１９を取り付けたが、格子扉１７や換気扉１８と別体でこれらの間に防虫網が設けられていてもよく、この場合には、例えば、中骨１４や縦枠１３に収納可能なネット等を用いることで、多機能窓１の見込み寸法が増大することなく、防虫網を設置することができる。
【００３２】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００３３】
【図１】本発明の実施形態に係る窓を室外側から見た姿図である。
【図２】前記窓を室内側から見た姿図である。
【図３】前記窓の縦断面図であり、図１、２の矢視III−III線断面図である。
【図４】前記窓の縦断面図であり、図１、２の矢視IV−IV線断面図である。
【図５】前記窓の横断面図であり、図１、２の矢視Ｖ−Ｖ線断面図である。
【図６】前記窓の要部を拡大して示す縦断面図である。
【図７】前記窓の要部を拡大して示す縦断面図である。
【図８】前記窓の要部を拡大して示す横断面図である。
【符号の説明】
【００３４】
１０…窓枠、１０Ａ…非開放部、１０Ｂ…開放部、１１…上枠、１２…下枠、１３…縦枠、１５…嵌め殺し面材である複層ガラス、１６…調光部材であるロールスクリーン、１７…通気面材である格子扉（格子体）、１８…可動面材である換気扉、１９…防虫網であるネット、１１Ｃ，１２Ｃ，１３Ｂ，１４Ｂ…突出片である中間部突出片、１４Ｃ…突出片である押縁。
【図１】
2006328915.tif 000003
【図２】
2006328915.tif 000004
【図３】
2006328915.tif 000005
【図４】
2006328915.tif 000006
【図５】
2006328915.tif 000007
【図６】
2006328915.tif 000008
【図７】
2006328915.tif 000009
【図８】
2006328915.tif 000010